(57)【要約】      （修正有）【課題】開放した場合に硬貨が落下しにくい硬貨収納部構造を提供する。【解決手段】基片部と、基片部の一端部に折曲可能に連設されたフラップ片部と、基片部の他端部に折曲可能に接合されると共に、フラップ片部に着脱可能に接合されて被覆片部を被覆しうる被覆片部と、基片部の幅方向両端部においてフラップ片部と被覆片部との間に設けられた一対のマチ片部とを備え、フラップ片部が開放されて基片部上に立設された場合に、被覆片部も基片部上に立設されてフラップ片部に対向して配置され、基片部上において、フラップ片部、被覆片部及び一対のマチ片部により硬貨収納部が形成され、被覆片部及び一対のマチ片部は、立設時には硬貨収納部内へ傾斜して配置される。【選択図】図１
0003162331.tif 000002
【実用新案登録請求の範囲】
【請求項１】
基片部と、上記基片部の一端部に折曲可能に連設されたフラップ片部と、上記基片部の他端部に折曲可能に接合されると共に、上記フラップ片部に着脱可能に接合されて上記基片部を被覆しうる被覆片部と、上記基片部の幅方向両端部においてフラップ片部と上記被覆片部との間に設けられた一対のマチ片部とを備え、上記フラップ片部が開放されて基片部上に立設された場合に、上記被覆片部も基片部上に立設されて上記フラップ片部に対向して配置され、上記基片部上において、上記フラップ片部、被覆片部及び一対のマチ片部により硬貨収納部が形成される硬貨収納部構造であって、
上記被覆片部及び一対のマチ片部は、立設時には硬貨収納部内へ傾斜して配置されることを特徴とする硬貨収納部構造。
【請求項２】
上記マチ片部の幅寸法は上記フラップ片部の長さ寸法よりも短く形成されていると共に、被覆片部の長さ寸法は上記マチ片部の幅寸法と同一に形成されていることを特徴とする請求項１記載の硬貨収納部構造
【請求項３】
上記基片部及びフラップ片部は全体長方形状に形成されると共に、上記被覆片部は、底辺部が上記基片部の幅寸法と同一寸法を有する平面台形状に形成され、上記一対のマチ片部は上記被覆片部の斜辺部に接合されていることを特徴とする請求項２記載の硬貨収納部構造。
【請求項４】
上記フラップ片部の裏面側端部には係合部材が設けられると共に、上記被覆片部の表面側端部には上記係合部材が係合する被係合部材が設けられていることを特徴とする請求項３記載の硬貨収納部構造。
【請求項５】
上記一対のマチ片部は、上記被覆片部とフラップ片部との間において、被覆片部近傍において形成される一対の対向する第一の外方突出折り目部と、上記フラップ片部近傍において形成される一対の対向する第二の外方突出折り目部と、上記第一の外方突出折り目部と上記第二の外方突出折り目部との間に形成される内方突出折り目部とを有することを特徴とする請求項４記載の硬貨収納部構造。
【考案の詳細な説明】
【技術分野】
【０００１】
本考案は硬貨収納部構造の改良に関する。
【背景技術】
【０００２】
従来の硬貨収納部構造として、図３及び図４に示すような硬貨収納部構造が提案されていた。
即ち、財布５０の硬貨収納部として構成され、マチ部４０、４０は側面略扇形状に形成され、一方端部が上記背面板部４７に接合すると共に、他方端部は前面板部４５及び硬貨落下防止板部４２に接合され、上記マチ部４０、４０の外側面部には、上記マチ部４０、４０が起立した状態において、上記前面板部４２との接合線を底辺とする二等辺三角形Ａの一対の等辺に沿った第一の谷折り線４１、４１と、上記二等辺三角形Ａの頂点から、上記底辺に対して垂直方向に沿って上記マチ部４０、４０の周縁部に向かって形成された第二の谷折り線４３と、上記二等辺三角形の頂点から上記底辺と略平行に上記マチ部の硬貨落下防止板部４２の側端部に向かって形成された山折り線４４とにより形成される一対の折り部４６、４６が上記硬貨落下防止板４２上を被覆するように構成されている。
【０００３】
このように構成された従来の硬貨収納部構造にあっては、硬貨を取り出す場合には、上記硬貨落下防止板部４２は前面板部４５の前端部において直立するように構成されているが、前面板部４５は短い幅寸法に形成されていたことから取り出しやすい一方で、前面板部４５を開放した際に、硬貨が落下する可能性がある、という不具合があった。
【考案の開示】
【考案が解決しようとする課題】
【０００４】
本考案の課題は、開放した場合に硬貨が落下しにくい硬貨収納部構造を提供することにある。
【課題を解決するための手段】
【０００５】
上記課題を解決するため、請求項１記載の考案にあっては、基片部と、上記基片部の一端部に折曲可能に連設されたフラップ片部と、上記基片部の他端部に折曲可能に接合されると共に、上記フラップ片部に着脱可能に接合されて上記被覆片部を被覆しうる被覆片部と、上記基片部の幅方向両端部においてフラップ片部と上記被覆片部との間に設けられた一対のマチ片部とを備え、上記フラップ片部が開放されて基片部上に立設された場合に、上記被覆片部も基片部上に立設されて上記フラップ片部に対向して配置され、上記基片部上において、上記フラップ片部、被覆片部及び一対のマチ片部により硬貨収納部が形成され、上記被覆片部及び一対のマチ片部は、立設時には硬貨収納部内へ傾斜して配置されることを特徴とする。
【０００６】
請求項１記載の考案にあっては、上記基片部上において、上記フラップ片部、被覆片部及び一対のマチ片部により包囲された硬貨収納部内へ上記被覆片部及びマチ片部が傾斜して立設されることから、開口部を狭めることができる。
【０００７】
請求項２記載の考案にあっては、上記マチ片部の幅寸法は上記フラップ片部の長さ寸法よりも短く形成されていると共に、被覆片部の長さ寸法は上記マチ片部の幅寸法と同一に形成されていることを特徴とする。
従って、フラップ片部を開き硬貨収納部を開放した場合には、上記被覆片部及びマチ片部は同一の高さ寸法において硬貨収納部の開口部を形成する。
【０００８】
請求項３記載の考案にあっては、上記基片部及びフラップ片部は全体長方形状に形成されると共に、上記被覆片部は、底辺部が上記フラップ片部の幅寸法と同一寸法を有する平面台形状に形成され、上記一対のマチ片部は上記被覆片部の斜辺部に接合されていることを特徴とする。
【０００９】
従って、請求項３記載の考案にあっては、上記被覆片部の上辺部は底辺部よりも短い長さ寸法に形成され、上記一対のマチ部は上記被覆片部の斜辺部に接合されていることから、上記一対のマチ片部は、上端部が硬貨収納部内方へ傾斜した形で上記基片部の両端部に立設される。
【００１０】
請求項４記載の考案にあっては、上記フラップ片部の裏面側端部には係合部材が設けられると共に、上記被覆片部の表面側端部には上記係合部材が係合する被係合部材が設けられていることを特徴とする。
従って、請求項４記載の考案にあっては、上記被覆片部を倒すと共に上記フラップ片部を倒すことにより硬貨収納部を被覆し、上記フラップ片部と上記被覆片部を係合部材を介して係合することにより、上記フラップ片部及び上記被覆片部を固定した状態で硬貨収納部を被覆することができる。
【００１１】
請求項５記載の考案にあっては、上記一対のマチ片部は、上記被覆片部とフラップ片部との間において、被覆片部近傍において形成される一対の対向する第一の外方突出折り目部と、上記フラップ片部近傍において形成される一対の対向する第二の外方突出折り目部と、上記第一の外方突出折り目部と上記第二の外方突出折り目部との間に形成される内方突出折り目部とを有することを特徴とする。
【００１２】
従って、請求項５記載の考案にあっては、上記被覆片部及びマチ片部を折り畳んで硬貨収納部を閉じる場合には、上記マチ片部の内方突出折り目部が硬貨収納部内にさらに突出しつつ基片部方向に倒れ、その上に上記第一の外方突出折り目部及び上記第二の外方突出折り目部が重なるように折り畳まれる。
【考案の効果】
【００１３】
請求項１記載の考案にあっては、上記基片部上において、上記フラップ片部、被覆片部及び一対のマチ片部により包囲された硬貨収納部内へ上記被覆片部及びマチ片部が傾斜して立設されることから、開口部を狭めることができるため、内部に収納した硬貨の落下を防止でき、収納した硬貨を確実に保持することができる。
【００１４】
請求項２記載の考案にあっては、フラップ片部を開き硬貨収納部を開放した場合には、上記被覆片部及びマチ片部は同一の高さ寸法において硬貨収納部の開口部を形し、従来のように一部の硬貨収納部形成部材の高さが低いことがないことから、フラップ片部を開き、同時に被覆片部も開かれた場合であっても、硬貨が一部の高さの低い硬貨収納部形成部材が設けられた部位から落下する事態を防止でき、より硬貨を確実に収納することができる。
【００１５】
請求項３記載の考案にあっては、上記基片部及びフラップ片部は全体長方形状に形成されると共に、上記被覆片部は、底辺部が上記フラップ片部の幅寸法と同一寸法を有する平面台形状に形成され、上記一対のマチ片部は上記被覆片部の斜辺部に接合され、上記被覆片部の上辺部は底辺部よりも短い長さ寸法に形成され、上記一対のマチ部は上記被覆片部の斜辺部に接合されていることから、上記一対のマチ片部は、上端部が硬貨収納部内方へ傾斜した形で上記基片部の両端部に立設されることから、フラップ片部を開き、同時に被覆片部も開かれた場合であっても、上記一対のマチ片部が基片部の両側部において、基片部上を半ば被覆するようにして斜めに立設し、硬貨収納部を確実に包み込むようにして配置されるため、硬貨が落下する事態を防止でき、より硬貨を確実に収納することができる。
【００１６】
また、上記一対のマチ片部は上記被覆片部の斜辺部に接合されていることから、一対のマチ片部に対して互いに硬貨収納部内方へ向かう応力が作用し、その結果、マチ片部の端部に接合されている被覆片部をも硬貨収納部内へ引き寄せる力が作用する。
その結果、一対のマチ片部及び被覆片部は開いて立設した状態においても硬貨収納部内方へやや傾斜する形となり、何らかの衝撃等があっても硬貨収納部内に収納される硬貨が飛び出すことを有効に防止することができる。
【００１７】
請求項４記載の考案にあっては、上記被覆片部を倒すと共に上記フラップ片部を倒すことにより硬貨収納部を被覆し、上記フラップ片部と上記被覆片部を係合部材を介して係合することにより、上記フラップ片部及び上記被覆片部を固定した状態で硬貨収納部を被覆することから、硬貨を収納した状態を確実に維持することができる。
【００１８】
請求項５記載の考案にあっては、上記被覆片部及びマチ片部を折り畳んで硬貨収納部を閉じる場合には、上記マチ片部の内方突出折り目部が硬貨収納部内にさらに突出しつつ基片部方向に倒れ、その上に上記第一の外方突出折り目部及び上記第二の外方突出折り目部が重なるように折り畳まれることから、上記被覆片部、一対のマチ片部及びフラップ片部により形成される硬貨収納部の開口部を確実に閉鎖し、より確実に硬貨を収納することが可能となる。
【図面の簡単な説明】
【００１９】
【図１】本考案に係る硬貨収納部構造をコインケースとして実施した場合の斜視図である。
【図２】本考案に係る硬貨収納構造をコインケースとして実施した場合の斜視図である。
【図３】従来の硬貨収納構造の一例を示す斜視図である。
【図４】従来の硬貨収納構造の一例を示す斜視図である。
【考案を実施するための最良の形態】
【００２０】
以下、添付図面に示す実施の形態に基づき本考案を詳細に説明する。
本実施の形態にあっては本考案に係る硬貨収納構造をコインケースとして実施した場合を例に説明する。
【００２１】
本実施の形態に係るコインケース１０は、全体皮革製であって、基片部１１と、上記基片部１１の一端部に折曲可能に連設されたフラップ片部１２と、上記基片部１１の他端部に折曲可能に縫合されると共に、上記フラップ片部１２に着脱可能に接合されて上記基片部１１を被覆しうる被覆片部１３と、上記基片部１１の幅方向両端部においてフラップ片部１２と上記被覆片部１３との間に設けられた一対のマチ片部１４、１４とを備えている。
【００２２】
本実施の形態にあっては、上記フラップ片部１２が基片部１１上に立設された場合に、上記被覆片部１３も基片部１１上に立設されて上記フラップ片部１２に対向して配置され、上記基片部１１上において、上記フラップ片部１２、被覆片部１３及び一対のマチ片部１４、１４により、内方に硬貨収納部１５が形成されるように構成されている。
【００２３】
上記マチ片部１４、１４の幅寸法Ｌは上記フラップ片部１２の長さ寸法Ｌ１よりも短く形成されていると共に、被覆片部１３の長さ寸法Ｌ２は上記マチ片部１４、１４の幅寸法と同一に形成されている。
上記基片部１１及びフラップ片部１２は全体長方形状に形成されると共に、上記被覆片部１３は、底辺部１６が上記基片部１１の幅寸法Ｌ３と同一寸法を有する平面台形状に形成され、上記一対のマチ片部１４、１４の一端部は上記被覆片部１３の斜辺部１７、１７に縫合固定されている。
【００２４】
上記フラップ片部１２の裏面側端部には係合部材としてのオスホック１８が設けられると共に、上記被覆片部１３の表面側端部には上記オスホック１８が係合する被係合部材としてのメスホック１９が設けられている。
上記フラップ片部１２の裏面部側には裏面材２３が縫合固定されており、上記一対のマチ片部１４、１４の他端部は、上記裏面材２３の左右方向両端部の内方部位に縫合固定されている。
【００２５】
そして、上記一対のマチ部１４、１４は、上記被覆片部１３とフラップ片部１２との間において、被覆片部１３の近傍において形成される一対の対向する第一の外方突出折り目部２０、２０と、上記フラップ片部１２の近傍において形成される一対の対向する第二の外方突出折り目部２１、２１と、上記第一の外方突出折り目部２０、２０と上記第二の外方突出折り目部２１、２１との間に形成される内方突出折り目部２２、２２とを有している。
【００２６】
上記一対のマチ部１４、１４は、一端部は上記被覆片部１３の斜辺部１７、１７に縫合固定されていると共に、上記裏面材２３の左右方向両端部の内方部位に縫合固定されていることから、フラップ片部１２及び被覆片部１３が基片部１１上に立設され、マチ部１４、１４も同様に基片部１１の幅方向両端部に立設された場合には、基片部１１の内方へやや傾斜するように配置されるように構成されている。
【００２７】
この場合、上記のように本実施の形態に係るコインケース１０は皮革製であり、マチ片部１４、１４は所定の厚さ寸法を有することから所定の剛性を有し、上記フラップ片部１２を使用者が基片部１１上に開いた場合には、折り畳まれていたマチ片部１４、１４も上記第一の外方突出折り目部２０、２０、一対の対向する第二の外方突出折り目部２１、２１及び内方突出折り目部２２、２２も開放し、その結果、これらの折り目２０、２１及び２２の応力により上記被覆片部１３も自動的に回動して基片部１１上に立設されるものである。
【００２８】
以下、本実施の形態に係るコインケース１０の作用について説明する。
本実施の形態に係るコインケース１０は収納時には、上記マチ片部１４、１４は基片部１１上に折り畳まれていると共に、上記フラップ片部１２のオスホック１８と上記被覆片部１３のメスホック１９が係合してフラップ片部１２と被覆片部１３とは、上記マチ片部１４、１４上に重なり合って互いに接合されている。
【００２９】
このコインケースを使用する場合には、まず、上記フラップ片部１２を、オスホック１８とメスホック１９との係合を外してフラップ片部１２を基片部１１との折曲部を中心にして回動させ、立ち上げる。
【００３０】
この場合、上記フラップ片部１２に端部を縫合固定された一対のマチ片部１４、１４も、上記フラップ片部１２の回動動作により長さ方向に引っ張られることから上記上記第一の外方突出折り目部２０、２０、一対の対向する第二の外方突出折り目部２１、２１及び内方突出折り目部２２、２２を介して基片部１１の幅方向両端部立ち上がり、さらに、上記マチ片部１４、１４の端部に縫合固定されている上記被覆片部１３も同様に立ち上がる。
【００３１】
この場合、本実施の形態にあっては、上記マチ片部１４、１４は上記被覆片部１３の斜辺部１７、１７に接合されていることから、一対のマチ片部１４、１４に対して互いに硬貨収納部内方へ向かう応力が作用する。
その結果、上記一対のマチ片部１４、１４の端部に接合されている被覆片部１３に対しても硬貨収納部内へ引き寄せる力が作用する。
【００３２】
従って、一対のマチ片部１４、１４及び被覆片部１３は開いて立設した状態においても硬貨収納部１５内方へやや傾斜する形となり、何らかの衝撃等があっても硬貨収納部１５内に収納される硬貨が飛び出すことを有効に防止することができる。
【００３３】
なお、本実施の形態にあっては、本考案に係る硬貨収納部構造をコインケースに適用した場合を例に説明したが、上記実施の形態に限定されず、本考案に係る硬貨収納部構造を財布のコイン収納部に適用してもよい。
【符号の説明】
【００３４】
１０  コインケース（硬貨収納部構造）
１１  基片部
１２  フラップ片部
１３  被覆片部
１４  マチ片部
１５  硬貨収納部
１６  底辺部
１７  斜辺部
１８  オスホック（係合部材）
１９  メスホック（被係合部材）
２０  第一の外方突出折り目部
２１  第二の外方突出折り目部
２２  内方突出折り目部
２３  裏面材
４０  マチ部
４１  第一の谷折り線
４２  硬貨落下防止板部
４３  第二の谷折り線
４４  山折り線
４５  前面板部
４６  折り部
４７  背面板部
５０  財布
Ｌ    マチ片部の幅寸法
Ｌ１  フラップ片部の長さ寸法
Ｌ２  被覆片部の長さ寸法
Ｌ３  基片部の幅寸法
【図１】
0003162331.tif 000003
【図２】
0003162331.tif 000004
【図３】
0003162331.tif 000005
【図４】
0003162331.tif 000006